(57)【要約】      （修正有）【課題】凸凹な地上に取付できる太陽光発電架台システムを提供する。【解決手段】支柱１、横レール、レールを含む、太陽光発電架台システムに関する。横レールは、連接ジョイントによって支柱の上部に取付けられる。連接ジョイントは、取付レバー４．１、ボールジョイント４．２及びジョイントカバー４．３で構成されている。取付レバーの下部を支柱に連接し、取付レバーの上部にボールジョイントを嵌め込んでいる。ボールジョイントは、ジョイントカバーにセットされている。ジョイントカバーの下部の丸口の直径はボールジョイントの直径より小さく、ジョイントカバーはボールジョイントを巻き付けて自由回転ができる。ジョイントカバーの上部は横レールと固定され、レールは横レールの上に固定される。連接ジョイントにて、前後の傾斜角度の調整だけでなく、左右の傾斜角度の調整もうまくできる。これにより、複雑な地形に適用することができる。【選択図】図３
0003200837.tif 000002
【実用新案登録請求の範囲】
【請求項１】
支柱と、横レールと、レールとを含む一種類の太陽光発電架台システムであって、
前記横レールは、連接ジョイントによって前記支柱の上部に取付られ、
前記連接ジョイントは、取付レバー、ボールジョイント及びジョイントカバーを含み、
前記取付レバーの下部は前記支柱に連接され、前記取付レバーの上部に前記ボールジョイントが嵌め込まれ、
前記ボールジョイントは、前記ジョイントカバーにセットされ、
前記ジョイントカバーの下部の丸口の直径は、前記ボールジョイントの直径より小さく、前記ジョイントカバーは、ボールジョイントを巻き付けて自由回転ができ、前記ジョイントカバーの上部は、前記横レールと固定され、
前記レールは、前記横レールの上に固定されることを特徴とする一種類の太陽光発電架台システム。
【請求項２】
前記取付レバーは、その長さの調整ができる伸び縮みレバーである請求項１に記載の一種類の太陽光発電架台システム。 
【請求項３】
前記取付レバーは、外ネジ山がついてあるボルトであり、
前記支柱の内部は、空洞になっていて、前記取付レバーを設置でき、
前記支柱の前記上部に内ネジがついているナットを固定することにより、前記取付レバーを前記ナットに固定し、スクリューで前記取付レバーの高さを調節する請求項１または２に記載の一種類の太陽光発電架台システム。
【請求項４】
前記ジョイントカバーの前記上部は、取付表面を有し、
前記ジョイントカバーの前記取付表面に穴がいくつか設計してあり、それに対応するように、前記横レールに互いに距離を取って穴が設計してあり、
ボルトで、前記ジョイントカバーの前記取付表面にある前記穴を前記横レールにある前記穴に合わせて固定する請求項１ないし３のいずれかに記載の一種類の太陽光発電架台システム。
【考案の詳細な説明】
【技術分野】
【０００１】
本考案は、太陽光発電技術分野に関係していて、特に一種類の太陽光発電架台システムの仕組みに関係している。
【背景技術】
【０００２】
エネルギーの供給が日一日と緊張に向かい、太陽光発電は新型エネルギーとして応用領域が日増しに拡大してきている。けれども、太陽光発電架台は、太陽光発電システムの支え仕組みとして、太陽光発電システムで重要な構成部分となっている。既存の太陽光発電架台システムは、取付の場合に、平らである地上で取付する必要があり、平らな台で取り付けられ、凸凹な地上に適用されない。
【考案の概要】
【考案が解決しようとする課題】
【０００３】
本考案で解決する技術問題としては、凸凹な地上に取付できる一種類の太陽光発電架台システムを研究し考案することにある。
【０００４】
本考案によれば、前後の傾斜角度の調整だけでなく、左右の傾斜角度の調整もうまくできる。太陽光発電架台システムでモジュールのセットを同一平面に保持し、複雑な地形に適用することができる。
【課題を解決するための手段】
【０００５】
上記目的を達成するために、本考案で採用している技術案は下記のようである。
【０００６】
一種類の太陽光発電架台システムは、支柱、横レール、レールを含む。該当する横レールは、連接ジョイントによって支柱の上部に取付られる。該当する連接ジョイントは、取付レバー、ボールジョイント及びジョイントカバーを含む。取付レバーの下部は支柱に連接され、取付レバーの上部にボールジョイントが嵌め込まれている。ボールジョイントは、ジョイントカバーにセットされ、取り合わせられている。ジョイントカバーの下部の丸口の直径はボールジョイントの直径より小さく、ジョイントカバーはボールジョイントを巻き付けて自由回転ができる。ジョイントカバーの上部は横レールと固定され、レールは横レールの上に固定される。連接ジョイントにて、前後の傾斜角度の調整だけでなく、左右の傾斜角度の調整もうまくできる。太陽光発電架台システムでモジュールのセットを同一平面に保持し、複雑な地形に適用することができる。
【０００７】
また、本考案で述べた太陽光発電架台システムの優先案として、該当する取付レバーは、その長さの調整ができる伸び縮みレバーとすることである。伸び縮みレバーの長さを調整することによって、それぞれのジョイントカバーの高さを調整する。横レールの取付をしっかりさせるために、すべてのジョイントカバーを同一平面にする。
【０００８】
また、本考案で述べた太陽光発電架台システムの優先案として、該当する取付レバーは、外ネジ山がついてあるボルトであり、支柱の内部が空洞になっていて取付レバーを設置できる。支柱の上部に内ネジがついているナットを固定する。取付レバーをナットに固定し、スクリューで取付レバーの高さを調節することによって、それぞれのジョイントカバーの高さを調整する。横レールの取付をしっかりさせるために、すべてのジョイントカバーを同一平面にする。
【０００９】
さらにまた、本考案で述べた太陽光発電架台システムの優先案として、該当するジョイントカバーの上部は取付表面を有する。ジョイントカバーの取付表面に穴がいくつか設計してあり、それに対応するように、横レールに互いに距離を取って穴が設計してある。ボルトで、ジョイントカバーの取付表面にある穴を横レールにある穴に合わせて固定する。すべてのジョイントカバーの取付表面は横レールと平行で取り付けられる。横レールの損害を避け、取付簡単で、分解することもでき、壊れた連接ジョイントや支柱の交換にも便利である。
【考案の効果】
【００１０】
本考案で述べた太陽光発電架台システムは、ボールジョイントを用いているため、前後の傾斜角度の調整だけでなく、左右の傾斜角度の調整もうまくできる。太陽光発電架台の上部で取付表面を同一平面に保持し、各種の複雑な地形に適用することができる。ジョイントカバーの取付表面で横レールとジョイントカバーの取付はより便利になり、横レールの損害を避けるようにすることができる。
【図面の簡単な説明】
【００１１】
【図１】図１は、本考案に基づき、設計された太陽光発電架台システムの仕組みの説明図面である。
【図２】図２は、図1にあるA部分の仕組みの拡大説明図面である。
【図３】図３は、一種類の連接ジョイントと支柱との連接仕組みの拡大説明図面である。
【考案を実施するための形態】
【００１２】
次では、図面と具体的な実施方式に合わせて、本考案を更に詳しく説明する。
【実施例】
【００１３】
実施例1
図１のように、一種類の太陽光発電架台システムは、支柱1、横レール2、レール3を含む。横レール2は連接ジョイント4で支柱1に取り付けられて、モジュール6をレール3にセットしている。連接ジョイント4は、図２、３に示すように、取付レバー4.1、ボールジョイント4.2、ジョイントカバー4.3を含む。取付レバー4.1の下部は支柱１と連接し、取付レバー4.1の上部にボールジョイント4.2を嵌め込んでいる。ボールジョイント4.2はジョイントカバー4.3にセットされ、取り合わせられている。ジョイントカバー4.3の上部は横レール2と固定され、レール3は横レール2の上に固定される。
【００１４】
取付レバー4.1は、長さの調整ができる伸び縮みレバーと認める。取付レバー4.1の下部を支柱1に固定し、伸び縮みレバーの伸び縮み量を調整することによって、取付レバー4.1の長さを調整し、それぞれのジョイントカバー4.3の高さを調整する。横レール2の取付をしっかりさせるために、取付レバー4.1のすべての長さを調整したジョイントカバー4.3を同一平面にする。調節レバーとする調節装置は、既存通常の調節レバーで、外ロック式、点接式、膨張式のようである。
【００１５】
該当する取付レバー4.1は外ネジ山がついてあるボルトに設計され、支柱1の内部の空洞に取付レバー4.1を設置できる。支柱1の上部に内ネジがついているナットを固定する。取付レバー4.1をナットに固定し、スクリューで取付レバー4.1の高さを調節することによって、それぞれのジョイントカバー4.3の高さを調整する。横レール2の取付をしっかりさせるために、太陽光発電架台システムのすべてのジョイントカバー4.3を同一平面にする。
【００１６】
ジョイントカバー4.3の上部では、ジョイントカバー4.3の取付表面4.4と呼ばれるジョイントカバーベースが形成されている。ジョイントカバー4.3の取付表面4.4に穴がいくつか設計してあり、それに対応するように、横レール2に互いに距離を取って穴が設計してある。ボルトで、ジョイントカバー4.3の取付表面4.4にある穴を横レール2にある穴に合わせて固定する。太陽光発電架台システムのすべてのジョイントカバー4.3の取付表面4.4は、横レール2と平行で取り付けられる。このように、ジョイントカバー4.3と横レール2は、取付簡単で、分解することもでき、壊れた連接ジョイントや支柱の交換にも便利である。
【００１７】
隣り合った二つの支柱1の間に固定金具5を設計してある。固定金具5は、支柱1の安定性を更に向上させる。固定金具5と支柱1の連接は溶接の方式でも分解可能な方式でもできる。分解可能な方式は、クリップバックル、フープまたは他のコネクタである。これにより、固定金具5と支柱1との取付が便利で、修理や分解も簡易になる。
【００１８】
以上、本説明書には本考案の実施方式を説明したが、これらの実施方式は提示とするものだけであり、本考案の保護範囲に限ってはいけない。本考案の主旨を離れない限り、各種な省略、交換また変更をすることのすべては、本考案の保護範囲にある。
【符号の説明】
【００１９】
1、支柱   2、横レール   3、レール  4、連接ジョイント  4.1、取付レバー   4.2、ボールジョイント   4.3、ジョイントカバー   4.4、ジョイントカバーベース   5、固定金具   6、モジュール
【図１】
0003200837.tif 000003
【図２】
0003200837.tif 000004
【図３】
0003200837.tif 000005